(57)【特許請求の範囲】
【請求項１】
コークス製造過程で副生されたコークス炉ガスを改質炉に導入して無触媒で部分酸化反応及び水蒸気改質反応させる無触媒改質方法において、
複数の起動用バーナを起動させて発生する燃焼ガスを前記改質炉に導入して、該改質炉内の前記コークス炉ガスの導入部の温度を前記起動用バーナの燃料ガスの自己着火温度以上に昇温させた後、前記複数の起動用バーナの一部の起動用バーナの酸素含有ガスの供給を停止させてから、酸素含有ガスの供給が停止された起動用バーナから供給される燃料ガスが前記改質炉の導入部に到達するまでの時間内に、前記導入部の炉壁を貫いて設けた供給管から前記導入部に前記酸素含有ガスを直接供給して、前記酸素含有ガスの供給が停止された起動用バーナから供給される前記燃料ガスを自己着火燃焼させて前記改質炉内の温度を昇温させた後、前記コークス炉ガスを前記改質炉に導入することを特徴とするコークス炉ガスの無触媒改質方法。
【請求項２】
前記改質炉内の温度が昇温された後、該改質炉に前記コークス炉ガスを導入するときの前記導入部の温度を、１２６０℃以上１４３０℃以下とすることを特徴とする請求項１に記載のコークス炉ガスの無触媒改質方法。
【請求項３】
前記改質炉内の温度が昇温された後、該改質炉に前記コークス炉ガスを導入するときの前記導入部の温度を、１３４０℃以上１３９０℃以下とすることを特徴とする請求項１に記載のコークス炉ガスの無触媒改質方法。
【請求項４】
コークス炉から排出されたコークス炉ガスを導入して無触媒で部分酸化反応及び水蒸気改質反応させる改質炉と、前記コークス炉から排出された前記コークス炉ガスを前記改質炉に導く導入路に設けられ、燃料ガスと酸素含有ガスを前記導入路に供給して前記燃料ガスを燃焼させる複数の起動用バーナと、前記コークス炉ガスが導入される前記改質炉内の導入部の炉壁を貫いて設けられた酸素含有ガスを供給する複数の酸素含有ガス供給孔とを備え、
前記複数の起動用バーナは、前記燃料ガスと前記酸素含有ガスがそれぞれ供給される開閉弁を有する供給管を備えてなり、
前記複数の起動用バーナの一部の起動用バーナの前記酸素含有ガスの供給管の前記開閉弁を閉じて、該一部の起動用バーナの前記酸素含有ガスの供給管に供給される前記酸素含有ガスを前記酸素含有ガス供給孔に供給可能に構成されてなることを特徴とするコークス炉ガスの改質装置。
【請求項５】
前記導入路を加熱する加熱手段と、該導入路の温度を計測する温度計測手段と、該温度計測手段の計測結果に基づいて前記加熱手段の加熱出力を制御する第１の制御手段とを備え、
前記第１の制御手段は、前記導入路の温度を４００℃以上８００℃以下に保持するように制御することを特徴とする請求項４に記載のコークス炉ガスの改質装置。
【請求項６】
前記コークス炉に投入する原料石炭中の含水率を計測する含水率計測手段と、前記改質炉への水蒸気の供給量を調整する流量調整弁と、該流量調整弁の弁開度を制御する第２の制御手段とを備え、
前記第２の制御手段は、前記含水率計測手段で計測された原料石炭中の含水率から前記コークス炉ガス中の水蒸気量を算出し、前記改質炉に供給する酸素量から部分酸化反応により生じる水分量を算出し、これらの合計による水分当量と前記コークス炉ガス中のカーボン当量とから、前記カーボン当量に対する前記水分当量の比率を算出し、
前記比率が設定値未満の場合は、前記比率を前記設定値とするために必要な水分量を前記原料石炭の乾留時間で除して算出された単位時間当たりの水分量に基づいて前記流量調整弁の弁開度を制御し、
前記比率が前記設定値以上の場合は、前記流量調整弁を閉じるように制御することを特徴とする請求項４又は５に記載のコークス炉ガスの改質装置。
【請求項７】
前記改質炉から排出される改質ガスを冷却手段を介して吸引する吸引手段と、前記冷却手段と前記吸引手段との間に設けられ、前記冷却手段で冷却された前記改質ガスから分離された凝縮水を貯めて排水する排水手段とを備えることを特徴とする請求項４乃至６のいずれかに記載のコークス炉ガスの改質装置。
【発明の詳細な説明】
【技術分野】
【０００１】
本発明は、コークス製造過程で副生するコークス炉ガスの無触媒改質方法及び改質装置に関する。
【背景技術】
【０００２】
石炭から製鉄高炉用や鋳物キュポラ用のコークスを製造する過程においては、低発熱量のコークス炉ガスが大量に副生される。このコークス炉ガスは、所内発電用ボイラや加熱炉用の燃料等に用いられるが、余剰のガスが大気に放散されたり、単純燃焼処理されると、大気中に多量の二酸化炭素が放出される。
【０００３】
コークス炉ガスは、石炭が熱分解したときに生成される多様な成分から構成され、例えば、非特許文献１、非特許文献２で示すように、水素、一酸化炭素、窒素、メタン、エチレン等とともに、ベンゼン、トルエン、キシレン等の芳香族、ナフタレン、ピリジン、アントラセン等の多環芳香族、さらに重質なタール、アンモニア、硫化水素、シアン化水素等が含まれている。
【０００４】
したがって、コークス炉ガスを水素や一酸化炭素がリッチなガスに改質し、特に重質成分を軽質炭化水素に改質することにより、原料ガスとしての利用価値が高まり、二酸化炭素排出量の削減につながる。
【０００５】
特許文献１には、酸素、燃焼ガス（コークス炉ガスを含まず）、高温の水蒸気等をコークス炉ガスに直接吹き込んでコークス炉ガスの一部を燃焼して昇温させ、無触媒で、吸熱反応によりコークス炉ガス中の重質成分を軽質炭化水素に水蒸気改質する技術が開示されている。
【先行技術文献】
【特許文献】
【０００６】
【特許文献１】特開２００１−２２０５８４号公報
【非特許文献】
【０００７】
【非特許文献１】日本エネルギー学会誌、Ｖｏｌ．８５（２００６）、P３６４−３７０
【非特許文献２】日本エネルギー学会誌、Ｖｏｌ．８５（２００６）、P３４２−３４７
【発明の概要】
【発明が解決しようとする課題】
【０００８】
ところで、特許文献１によれば、コークス炉ガスの温度を９００℃以上に加熱して水蒸気改質を行うことが記載されている。しかしながら、コークス炉ガスは、例えば１２００℃以下では改質反応がほとんど進まないのに対し、例えば１５００℃以上ではタール等の重質分の分解は進むが、注入する酸素や燃焼ガスが過剰に必要となり、燃焼により消費される水素などの原料ロスが増えるため、改質時の効率が大幅に低下する。したがって、コークス炉ガスの改質効率を高める上で加熱温度の適正化は重要な課題となる。
【０００９】
また、設備を起動させて改質運転を開始するまでに、コークス炉ガスを改質する改質炉内の温度を常温から１２００℃以上に予熱昇温するためには長時間を要するため、起動昇温時には多量のエネルギー（燃料）が必要となる。
【００１０】
また、コークス炉ガスの水蒸気改質反応時には、改質炉内で反応ガス中の水分当量とカーボン当量が所定の比率で反応するが、水分当量が不足する場合、生成される改質ガス中にカーボンが析出してガス流路を閉塞させるおそれがある。一方、水分当量が過剰の場合、ガス温度が低下するため、吸熱反応による水蒸気改質反応の効率が低下し、改質ガスの品質が低下するおそれがある。ここで、反応ガス中における水分量は、コークスの原料石炭中に含まれる水分量と、改質炉内に投入された酸素がコークス炉ガス中の炭化水素と反応して生成される水分量によって変動するため、例えば原料石炭の含水率が変動すると、改質ガスの品質や改質効率に影響を与えるおそれがある。
【００１１】
本発明は、改質運転開始前の起動時間を短縮することを第１の課題とする。
【００１２】
本発明は、コークス炉ガス中の水分量の変動に関わらず、改質ガス中のカーボンの析出を抑制するとともに改質反応の効率を高め、改質ガスの品質を安定化させることを第２の課題とする。
【課題を解決するための手段】
【００１３】
ここで、本発明のコークス炉ガスの無触媒改質方法において、改質炉を起動させる方法について説明する。改質炉の起動時には、改質炉内を改質反応が進行する温度まで昇温させる必要がある。ところが、改質反応時の改質炉内の温度は、例えば１３００℃以上であるため、例えば炉内に昇温用バーナを設けると、改質運転中に溶損するおそれがある。そのため、炉内には、例えば、融点が１４００℃以下の材料からなる昇温バーナをそのまま設置することができない。そこで、コークス炉ガスを改質炉の入口に導く導入路の入口側に起動用バーナを設置して、その燃焼ガスの流れを改質炉内に導くことにより炉内を昇温する方法が考えられる。しかし、この昇温方法は、燃焼ガスの対流熱伝達を利用しているため、昇温速度が遅く、例えば炉内を１３００℃以上にするためには、数十時間を要する。
【００１４】
そこで、本発明は、上記の課題を解決するため、コークス製造過程で副生されたコークス炉ガスを改質炉に導入して無触媒で部分酸化反応及び水蒸気改質反応させる無触媒改質方法において、複数の起動用バーナを起動させて発生する燃焼ガスを改質炉に導入して、この改質炉内のコークス炉ガスの導入部の温度を起動用バーナの燃料ガスの自己着火温度以上に昇温させた後、複数の起動用バーナの一部の起動用バーナの酸素含有ガスの供給を停止させてから、酸素含有ガスの供給が停止された起動用バーナより供給された燃料ガスが改質炉内の導入部に到達するまでの時間内に、導入部の炉壁を貫いて設けた供給管から導入部に酸素含有ガスを直接供給して、酸素含有ガスの供給が停止された起動用バーナから供給される燃料ガスを自己着火燃焼させて改質炉内の温度を昇温させた後、コークス炉ガスを改質炉に導入することを特徴とする。
【００１５】
本発明によれば、改質炉内にバーナなどの構造物を設けることなく、改質炉内で直接燃料を燃焼させて火炎を形成することができるため、改質炉内の耐火物を火炎からの直接輻射熱により加熱することができる。これにより、改質反応に必要な温度まで短時間で昇温することができ、起動用の燃料の使用量を低減することができる。
【００１６】
この場合において、改質炉内の温度が昇温された後、改質炉にコークス炉ガスを導入するときの改質炉内の導入部の温度を、１２６０℃以上１４３０℃以下、好ましくは１３４０℃以上１３９０℃以下とする。
【００１７】
このように、改質炉内の温度をコークス炉ガスの温度（例えば６００℃〜９００℃）よりも高い所定の温度まで加熱させた状態で、コークス炉ガスを改質炉に導入することにより、コークス炉ガスを部分酸化反応により容易に上記の温度まで昇温させることができるため、水蒸気改質反応を高い効率で行うことが可能となる。そして、導入部には、コークス炉ガスとともに酸素含有ガスを供給し、導入部の温度を１２６０℃以上１４３０℃以下、好ましくは１３４０℃以上１３９０℃以下となるように維持して水蒸気改質反応を行うことにより、コークス炉ガスは、ガスに含まれる通常は分解しにくい重質炭化水素が、熱分解反応により軽質炭化水素、主としてメタンに変換される。そして、このメタンは、コークス炉ガス自身に含まれる水分及び部分酸化反応で生成された水分と反応して水蒸気改質反応が進行するため、水素及び一酸化炭素に富んだ改質ガスを得ることができる。
【００１８】
改質炉内の実際の反応は非常に複雑で、コークス炉ガスの場合、原料自身にメタンを３０％ほど含んでいるため、熱分解とメタン改質は見かけ上同時に進行する。ただし、反応速度の順番は、部分酸化反応＞熱分解反応＞水蒸気改質となるため、同時進行の場合でも改質炉内での反応の収束は、部分酸化反応と熱分解反応は改質炉のほとんど前の方で終了し、吸熱反応であるメタンの改質反応と、一酸化炭素と水蒸気が反応して水素と二酸化炭素に変換するシフト反応が改質炉内の後側まで長く継続する。このことからも改質炉の反応温度を適切に設定することが最重要事項となる。
【００１９】
ここで、熱分解反応とメタンの改質反応は温度が高い方が進み易いが、温度を上げるには、酸素含有ガスとして、例えば酸素又は空気よりも高濃度の酸素を含むガス量の供給量を増やす必要がある。また、温度を上げた場合、燃焼ロスとして、改質ガス中の二酸化炭素が多くなり効率が低下する。これに対し、本発明では、改質炉内の反応温度を１４５０℃以下、望ましくは１３９０℃以下としているため、このような効率の低下を防ぐことができる。
【００２０】
また、本発明のコークス炉ガスの改質装置は、コークス炉から排出されたコークス炉ガスを導入して無触媒で部分酸化反応及び水蒸気改質反応させる改質炉と、コークス炉から排出されたコークス炉ガスを改質炉に導く導入路に設けられ、燃料ガスと酸素含有ガスを導入路に供給して燃料ガスを燃焼させる複数の起動用バーナと、コークス炉ガスが導入される改質炉内の導入部の炉壁を貫いて設けられた酸素含有ガスを供給する複数の酸素含有ガス供給孔とを備えた改質装置において、複数の起動用バーナは、燃料ガスと酸素含有ガスがそれぞれ供給される開閉弁を有する供給管を備えてなり、複数の起動用バーナの一部の起動用バーナの酸素含有ガスの供給管の前記開閉弁を閉じて、その一部の起動用バーナの酸素含有ガスの供給管に供給される酸素含有ガスを酸素含有ガス供給孔に供給可能に構成されてなることを特徴とする。
【００２１】
このように構成すれば、改質炉の起動時には、各起動用バーナにおいて燃料ガスと酸素含有ガスの供給停止を自在に調整することができるため、起動運転時には、燃料ガスを改質炉内で直接燃焼させて火炎を形成することができる。これにより、改質炉を改質反応に必要な温度まで短時間で昇温させることができ、起動用の燃料の使用量を低減することができる。
【００２２】
また、改質装置は、導入路を加熱する加熱手段と、導入路の温度を計測する温度計測手段と、この温度計測手段の計測結果に基づいて加熱手段の加熱出力を制御する第１の制御手段とを備え、第１の制御手段は、導入路の温度を４００℃以上８００℃以下に保持するように制御するものとする。
【００２３】
これにより、コークス炉ガスに含まれる重質炭化水素が４００℃未満で液化凝集することによる流路の閉塞を防ぐことができ、さらに、８００℃を超える温度で生じる炭化水素の高温熱分解カーボンの析出による流路の閉塞や、流路途中で原料となるコークス炉ガス中の成分損失が生じることがないため、コークス炉ガスを安定して改質炉に導くことができる。
【００２４】
また、改質装置は、コークス炉に投入する原料石炭中の含水率を計測する含水率計測手段と、改質炉への水蒸気の供給量を調整する流量調整弁と、この流量調整弁の弁開度を制御する第２の制御手段とを備え、第２の制御手段は、含水率計測手段で計測された原料石炭中の含水率からコークス炉ガス中の水蒸気量を算出し、改質炉に供給する酸素量から部分酸化反応により生じる水分量を算出し、これらの合計による水分当量とコークス炉ガス中のカーボン当量とから、カーボン当量に対する水分当量の比率を算出し、この比率が設定値未満の場合は、比率を設定値とするために必要な水分量を原料石炭の乾留時間で除して算出された単位時間当たりの水分量に基づいて流量調整弁の弁開度を制御し、比率が設定値以上の場合は、流量調整弁を閉じるように制御するものとする。
【００２５】
すなわち、改質装置は、改質炉内の水蒸気改質反応に必要な水蒸気の要否とその供給量を原料石炭中の含水率から予め算定した後、その算定された量の水蒸気を改質炉内に供給する。これにより、原料石炭中の含水率の変動に起因するコークス炉ガス中の水分量の変動に関わらず、改質炉内への不必要な水蒸気の供給を防ぐことができるため、改質ガスの品質を安定化させるとともに、水蒸気の供給量を一定に保持する制御が可能となる。また、改質炉内での水蒸気不足によるカーボンの析出を抑制するとともに、改質ガス中の未改質のメタン含有率の増加に伴う改質ガスの品質低下等を防止することができる。
【００２６】
さらに、改質装置は、改質炉から排出される改質ガスを、冷却手段を介して吸引する吸引手段と、冷却手段と吸引手段との間に設けられ、冷却手段で冷却された改質ガスから分離された凝縮水を貯めて排水する排水手段とを備えるものとする。
【００２７】
すなわち、改質ガスの成分は、そのほとんどが水素、一酸化炭素、二酸化炭素及び水蒸気であるため、改質炉から排出された改質ガスを冷却手段で１００℃以下に冷却すると、大量に凝縮液が発生する。そのため、この凝縮液を貯めてから排水する排水手段を設けることにより、例えば、改質ガスの流路が凝縮水により閉塞することを防ぐことができ、かつ、２層流化による流動抵抗増大による補機動力増加を防ぐことができる。
【図面の簡単な説明】
【００２８】
【図１】本発明を適用してなるコークス炉ガスの改質炉を組み込んだ改質システムの構成及び改質システムのフローを示す図である。
【図２】改質炉内の導入部の最高温度と改質ガス中の残留メタン濃度との関係を示す図である。
【図３】改質炉内の導入部の最高温度と改質ガス中の水素濃度、一酸化炭素濃度及び二酸化炭素濃度との関係を示す図である。
【図４】ガス増幅比と冷ガス効率との関係を示す図である。
【図５】改質炉内の導入部の最高温度と改質ガスのガス増幅比及びＲ値との関係を示す図である。
【図６】本発明を適用してなるコークス炉ガスの改質炉の起動開始後の時間と改質炉の導入部の温度との関係を示す図である。
【図７】含水率１０％の原料石炭を用いたときのコークス炉の１つの窯から発生するコークス炉ガス中の水分含有量について、装炭からコークス押し出しまでの時間変化を示す図である。
【図８】含水率５％と１０％の原料石炭を用いてコークス炉の５つの窯から発生するコークス炉ガスを合流させたコークス炉ガス中の水分当量とカーボン当量の比について、装炭からコークス押し出しまでの時間変化を示す図である。
【発明を実施するための形態】
【００２９】
以下、本発明の実施形態について図面を参照して詳細に説明する。図１は本発明を適用してなるコークス炉ガスの改質装置を組み込んだ改質システムの構成及び改質システムのフローを示す図である。
【００３０】
本実施形態の改質システムは、改質炉１とコークス炉３を備えて構成される。コークス炉３とは、原料石炭を乾留してコークスを製造するための炉であり、複数の窯から構成される。改質炉１とは、コークス炉３で副生されたコークス炉ガスを無触媒で改質するための炉である。ここで、コークス炉３から出たコークス炉ガスは、狭義では、水噴射で冷却し、タール分、ベンゼン等の芳香族類、硫黄分、塩分、アンモニア、水分等を除去して精製されたガスのことをいうが、本実施形態における、コークス炉ガスとは、コークス炉３から出た未処理のタール分を含む高温の生のガス（いわゆる高温コークス炉ガス）を意味するものとする。
【００３１】
コークス炉３には、１番窯５ａ、２番窯５ｂ、３番窯５ｃ、４番窯５ｄ及びＮ番窯５ｅが設けられ、各窯５の排出口にはそれぞれ取出管７ａ，７ｂ，７ｃ，７ｄ，７ｅが接続されている。取出管７ａ，７ｂ，７ｃ，７ｄ，７ｅは、それぞれ導入管９と連結されており、導入管９は改質炉１の入口部に一端が接続された導入管１１と連結されている。取出管７ａ，７ｂ，７ｃ，７ｄ，７ｅには、それぞれスライドダンパー１３ａ，１３ｂ，１３ｃ，１３ｄ，１３ｅが設けられ、各窯５の排出口が開閉可能になっている。
【００３２】
導入管１１には２個の起動用バーナ１５ａ，１５ｂが設けられている。より具体的には、導入管１１の改質炉１と反対側の端部に起動用バーナ１５ａが設けられ、導入管１１の起動用バーナ１５ａよりも改質炉１に近い方の所定位置に起動用バーナ１５ｂが設けられている。起動用バーナ１５ａ，１５ｂには、燃料ガスと酸素含有ガスを導入管１１内に供給するための供給管（図示せず）がそれぞれ設けられ、各供給管には供給量を調整するための調整弁（図示せず）が設けられている。ここで、酸素含有ガスとは、酸素又は空気よりも高濃度の酸素を含むガスをいう。燃料ガスとは、炭化水素などの周知の可燃性ガスをいう。
【００３３】
改質炉１は、例えば横型筒状の容器で形成され、長手方向の一端の入口側には導入管１１が接続され、他端の出口側には吸引管１７が接続されている。改質炉１の炉内空間は例えば円柱状に形成され、入口付近と出口付近はそれぞれ空間断面積が入口と出口に向かって次第に減少するように、例えば円錐状に形成されている。炉内空間の入口側には炉壁を貫いて複数の酸素供給管１９が設けられている。改質炉１の出口側には炉壁を貫いて炉内に水蒸気を供給する蒸気ノズル２１が設けられている。酸素供給管１９及び蒸気ノズル２１は、炉内温度で加熱されても溶損しない耐熱材料で形成され、特に酸素供給管１９は高温の炉内温度の影響を少なくするため、先端部分が炉壁内に位置するようになっている。以下、酸素供給管１９及び蒸気ノズル２１などを備えた改質炉１を改質装置と総称する。
【００３４】
改質炉１に一端が接続された吸引管１７は、熱交換器２３を経由して他端が貯水容器２５内に装入されている。貯水容器２５には水封式の自動排出装置２７が設けられ、貯水容器２５内に貯められた水を自動的に排水するようになっている。吸引管１７の途中から分岐した吸引管２９を介して遠心式固形物分離装置３１の入口部に接続され、遠心式固形物分離装置３１の出口部は排出管３３を介して散水式固形物分離装置３５のガス導入口に接続されている。散水式固形物分離装置３５のガス排出口は、排出管３７を介して吸引送風機３９の吸引口に接続されている。なお、散水式固形物分離装置３５の底部には配水管が接続されている。
【００３５】
次に、このようにして構成される改質システムにおける改質装置の起動方法について説明する。
【００３６】
本実施形態において、改質装置の起動時は、コークス炉３の各窯５ａ，５ｂ，５ｃ，５ｄ，５ｅのスライドダンパー１３ａ，１３ｂ，１３ｃ，１３ｄ，１３ｅをすべて閉止した状態で開始する。ここで、改質炉１の炉内空間の入口側で酸素供給管１９の酸素供給口付近（以下、導入部４１という。）の温度は、起動前の常温から、無触媒の改質反応が可能なおよそ１２６０℃以上に昇温させる必要がある。そのため、起動用バーナ１５ａ，１５ｂは、それぞれ燃料ガスと酸素含有ガスを供給口から噴出させて燃焼させ、その燃焼ガスの流れ４３を改質炉１内に導入して昇温を開始する。
【００３７】
続いて、導入部４１の温度が起動用バーナ１５ａ，１５ｂの燃料ガスの自己着火温度以上になると、一部の起動用バーナ１５、つまり２個のうち１個の起動用バーナ１５の燃焼に必要な酸素含有ガスの供給を停止させ、燃焼を停止させる。そして、その起動用バーナ１５の酸素含有ガスの供給を停止させた後、その起動用バーナ１５の供給口から供給された燃料ガスが導入管１１を通って改質炉１内の導入部４１に到達するまでの時間以内に、改質炉１の酸素供給管１９から酸素含有ガスを導入部４１に供給する。これにより、導入部４１に到達した燃料ガスは自己着火燃焼し、その火炎の輻射熱により導入部４１の空間温度（炉壁などの耐火物を含む）を直接昇温する。
【００３８】
ここで、起動用バーナ１５が1個の場合は、その起動用バーナを消火すると火炎（着火源）がなくなるため、例えば、改質炉１内で燃焼に失敗して失火すると改質炉１の後流側で爆発性ガスが充満するおそれがあるため、起動用バーナ１５は少なくとも２個以上設けておくことが必要となる。つまり、火炎すなわち着火源を最低一つ以上残しておくことで失火や異常燃焼、爆発等を防止することができる。例えば、３個の起動用バーナ１５を設置した場合、１個または２個の起動用バーナ１５の酸素含有ガスの供給を停止させるようにする。
【００３９】
また、改質炉１内の酸素供給口が１個の場合は、改質炉１内に偏流が生じて酸素供給部の対向面側が過度の高温となり溶融してしまうおそれが高く、一方で、改質炉１の内面には昇温できない領域が生じてしまうおそれがある。そのため、改質炉１内には酸素供給口を２個以上、望ましくは相互に対象な位置に複数設けることにより、均一に改質炉１内を昇温することができる。
【００４０】
起動用バーナ１５から供給される燃料ガスとしては、例えば、精製コークス炉ガス（コークス炉ガスからタール分、ベンゼン等の芳香族、硫黄分、塩分、アンモニア、水分等を除去したもの）、プロパンガス、都市ガスなどを用いることができるが、燃料費や設備費の点から、改質炉１から出る改質ガスを除塵、脱硫、脱水したガス（主成分は水素、一酸化炭素、二酸化炭素、少量のメタン）を用いることが好ましい。また、燃料ガスの着火温度は、これらのガスの主要成分によって決まるが、正確には実験で測定される。例えば、精製コークス炉ガスや改質ガスは、主要成分である水素が５０％以上を占めるため、約５６０℃で自己着火するのに対し、都市ガスの場合は５９５℃以上にならなければ自己着火しない。
【００４１】
図６は、本発明を適用してなる改質炉１の起動後の時間と導入部４１の温度との関係を示す図である。図の下側の線ｂは、起動用バーナ１５ａ，１５ｂの燃焼ガスを改質炉１内に導入することにより昇温した場合を示し、上側の線ａは、本実施形態による起動方法により昇温した場合を示す。
【００４２】
線ｂに示すように、起動用バーナ１５ａ，１５ｂの燃焼ガスを改質炉１内に導入して昇温する場合、無触媒の改質反応が可能な条件であるおよそ１２６０℃以上に導入部４１の温度を昇温させるためには９時間以上かかる。この場合、起動用バーナ１５ａ，１５ｂの燃焼量を大きくすれば、昇温時間を短くできるが、時間当たりの燃料の消費量が多くなり、燃料の消費量と二酸化炭素発生量が多くなるため望ましくない。
【００４３】
これに対し、線ａに示すように、起動後に導入部４１の温度が燃料ガスの自己着火温度に達したときに１個の起動用バーナ１５の燃焼に必要な酸素含有ガスの供給を停止させた後、その起動用バーナ１５の燃料ガスが導入部４１に到達する時間以内に、酸素含有ガスを改質炉１内に直接供給し、起動用バーナ１５からの燃料ガスを導入部４１に導いて自己着火燃焼させ、導入部４１を直接昇温させた場合、４時間以内に導入部４１の温度を１２６０℃まで昇温させることができる。
【００４４】
次に、このようにして改質炉１の導入部４１を所定の温度まで昇温させた後、コークス炉ガスを改質炉１内に導入する。スライドダンパー１３ａ，１３ｂ，１３ｃ，１３ｄ，１３ｅを開放し、コークス炉３の１番窯５ａ，２番窯５ｂ，３番窯５ｃ，４番窯５ｄ，Ｎ番窯５ｅから取出されたコークス炉ガスは、図１の矢印で示すように、それぞれ取出管７ａ，７ｂ，７ｃ，７ｄ，７ｅを流れて導入管９に入り、その後、導入管１１を経由して改質炉１内に入る。改質炉１内には、酸素供給管１９から酸素含有ガスが吹込まれるため、コークス炉ガスの一部は、発熱反応である部分酸化反応により温度が上がる。ここで、導入部４１に吹込む酸素含有ガスの供給量を調整することにより、導入部４１の温度を１２６０℃以上の所定温度範囲に保持することができる。
【００４５】
コークス炉ガスが改質反応を開始すると、コークス炉ガス中の重質炭化水素がメタン等に軽質化する。軽質化されたガスは引続き水蒸気改質反応により約１１００℃の改質ガスとなる。その後、改質炉１内の出口手前で蒸気ノズル２１から吹き込まれる水蒸気４５で約７００℃〜８００℃に冷却されて高温改質ガス４７となる。改質炉１の出口から排出された高温改質ガス４７は、熱交換器２３で冷却された後、遠心式固形物分離装置３１、散水式固形物分離装置３５を経由して、吸引送風機３９に導かれ、その後、改質ガス４９として次の工程へ送られる。
【００４６】
次に、コークス炉ガスを高効率で改質するための適正な温度範囲について検討した内容について説明する。
【００４７】
ここで、コークス炉ガスの水蒸気改質性能を評価する指標について説明する。
【００４８】
評価指標の一つとして、有効に利用できる合成ガス成分（水素と一酸化炭素）に注目し、改質前のコークス炉ガス中の水素と一酸化炭素量に対する改質後のガス（改質ガス）中の水素と一酸化炭素量の比を有効ガス増幅比とする（次式）。
有効ガス増幅比＝Ａ／Ｂ
Ａ：改質ガス中の水素と一酸化炭素の０℃、１気圧の標準状態における合計体積
Ｂ：コークス炉ガス中の水素と一酸化炭素の０℃、１気圧の標準状態における合計体積
【００４９】
一方、改質炉１の性能評価の指標であるガス増幅比に対して、一般的に発電用ガスとして使用する石炭ガス化炉の性能評価指標として使用される冷ガス効率がある（次式）。
冷ガス効率＝Ｃ／Ｄ×１００  ：  単位％
Ｃ：改質ガスの単位時間当たりの高品位総発熱量
Ｄ：投入したすべての原料の単位時間当たりの高品位総発熱量
発電用として開発を進めている多くの石炭ガス化炉では、冷ガス効率７８％以上が効率のよいガス化炉の目標値として設定されており、冷ガス効率７８％以上とするためには、改質炉１で評価するガス増幅比に換算すると２.０以上が必要である。
【００５０】
また、メタノール合成ガス原料としては、以下の式で定義されるＲ値（ガス組成最適評価指標）が指標となる。
Ｒ値＝Ｅ／Ｆ≒２（理想値）
Ｅ：改質ガス中の０℃、１気圧の標準状態における水素体積と二酸化炭素体積の差。つまり、Ｅ＝（水素の体積−二酸化炭素の体積）となる。
Ｆ：改質ガス中の０℃、１気圧の標準状態における一酸化炭素体積と二酸化炭素体積の合計。つまり、Ｆ＝（一酸化炭素の体積＋二酸化炭素の体積）となる。
ただし、メタノール合成時の想定反応として主反応を、ＣＯ＋２Ｈ２→ＣＨ３ＯＨ、及び、随伴反応をＣＯ２＋Ｈ２→ＣＯ＋Ｈ２Ｏとする。
【００５１】
また、炭素数が２以上の炭化水素の熱分解あるいは改質を経た後、炭化水素の最小要素であるメタンが改質ガス中の残留している濃度が改質性能の指標として有効である。本実施形態では、本発明を検証する目的で、コークス炉ガス取出管、改質炉、改質ガス冷却装置、配管、制御装置及びガス分析器から構成される試験装置を稼動中のコークス炉建屋に設置して実際のコークス炉ガスを使用した無触媒の改質試験を行って試験データを取得した。
【００５２】
図２は、稼動中のコークス炉から取り出して行ったコークス炉ガスの無触媒の改質試験における、導入部４１の最高温度と改質ガス４９中に残っているメタンガス濃度との関係を示した図である。図３は、導入部４１の最高温度と改質ガス４９中の水素濃度、一酸化濃度及び二酸化炭素濃度との関係を実測して調べた結果を示す図である。図４は、前述した有効ガス増幅比と冷ガス効率との関係を示す。図５は、前述の有効ガス増幅比及びＲ値と導入部４１の最高温度との関係を実測して調べた結果を示す図である。以下、本実施形態におけるコークス炉ガスのガス組成例を表１、改質ガス４９のガス組成例を表２に示した上で、図２〜５の内容について詳細に説明する。
【表１】
0005400505.tif 000002
【表２】
0005400505.tif 000003
【００５３】
改質炉１内に入ったコークス炉ガスに酸素供給管１９より供給する酸素量を増加させて、導入部４１の最高温度を上げていくと吸熱反応である改質反応ＣＨ４＋２Ｈ２Ｏ→４Ｈ２＋ＣＯ２が進み、改質ガス中に残留するメタン濃度が減少する。図２に示すように、導入部４１の最高温度が１２６０℃以上になると、改質ガス４９中の残留メタン濃度が２％以下に、１４４０℃以上ではほぼ０％となる。これに対し、導入部４１の最高温度が１１００℃以下では、改質ガス中の残留メタン濃度は２５％以上となる。このことは、表１に示したコークス炉ガス中に含まれるメタン濃度が３１.８％であることから、導入部４１の最高温度が１１００℃以下では、大半のメタンが改質されないことがわかる。また、導入部４１の最高温度が１１００℃を超えて１２６０未満の温度域では、改質ガス４９中の残留メタン濃度は導入部４１の最高温度の上昇とともに低下するが、２〜２２％の範囲であり、十分にメタンの改質が行われていないことがわかる。つまり、改質ガス４９中の残留メタン濃度を２％以下にするためには、導入部４１の最高温度が１２６０℃を超えている必要がある。
【００５４】
図３に示すように、改質ガス４９の化学原料用として有効な成分である原料のコークス炉ガスの含有率である水素の濃度が６０％以上となり、投入した原料に元々含まれている濃度以上の水素が改質により増加していることを示す結果が得られる導入部４１の最高温度は１２９０℃以上１４１０℃以下である。さらに、メタノール合成用原料ガスとしての最適値Ｒ２.０付近を満足するため、及び、ガス増幅比２以上とするためには、燃焼ロスにより発生する二酸化炭素の濃度が１０％以下である必要があり、そのためには導入部４１の最高温度は１３３０℃以上１３９０℃以下の範囲でなければならない。
【００５５】
図４に示すように、ガス増幅比が１.０から２.５まで増加した場合に、これを冷ガス効率として換算すると、４０％から９８％に相当し、冷ガス効率を７８％以上とするためには、ガス増幅比を２.０以上とすることが必要である。
【００５６】
また、図５の結果から次のことがわかる。改質炉１内に入ったコークス炉ガス中に供給する酸素量を増加させて、導入部４１の最高温度を上げていくと吸熱反応である改質反応ＣＨ４＋２Ｈ２Ｏ→４Ｈ２＋ＣＯ２が進み、改質ガス中の有効成分である水素ガス量が増加する。また、導入部４１の最高温度を１３４０℃以上にするとガス増幅比は２以上となり、導入部４１の最高温度を１４３０℃以上にすると燃焼ロスする原料ガス量が増えるため、ガス増幅比は２以下となる。一方、化学原料用ガスとしてメタノール原料ガスとしての最適な改質ガス組成の指標であるＲ値が２付近となるのは、導入部４１の最高温度が１２８０℃以上１３９０℃以下の範囲である。したがって、これらのガス増幅比２以上でかつＲ値２付近の両方を満足する導入部４１の最適な最高温度は、１３４０℃以上１３９０℃以下の範囲となる。
【００５７】
ここで、本実施形態の説明で用いる最高温度とは、周知の温度計測手段（例えば、温度センサ）により計測された温度を意味するが、改質炉１を製造する時点では、改質炉１内のどの位置に温度センサを設置して最高温度を計測すればよいのかわからない場合がある。このことから、実際の最高温度を計測するため、例えば、実際の改質炉１に入口から流れ込む原料ガスの流れ方向の中心軸線上に複数（５〜６個程度）の温度センサを等間隔で設置した後、試運転で改質反応試験を行い、複数の温度センサの中から最も計測温度の高いものを、最高温度を計測する温度センサとして改質炉１の運転制御用に採用する方法が取られる。
【００５８】
次に、本実施形態では、図１に示すように、コークス炉３から取り出したコークス炉ガスが流れる流路となる導入管９を、配管昇温用ヒータ５１，５３で予め加熱するようにしている。ここで、配管昇温用ヒータ５１，５３は、周知の発熱手段を導入管９に巻きつけて管壁を直接加熱する構造になっているが、管壁を加熱するものであれば、これに限られるものではない。配管昇温用ヒータ５１，５３の温度は、導入管９に取り付けた温度計５５により導入管９の管壁の温度を計測し、その温度を電気信号に変換して温度制御装置（図示せず）により配管昇温用ヒータ５１，５３の出力制御又はオンオフ制御を行うことにより常時所定の温度範囲に保持することができる。
【００５９】
例えば、各窯５の取出管７ａ，７ｂ，７ｃ，７ｄ，７ｅにそれぞれ設けたスライドダンパー１３ａ，１３ｂ，１３ｃ，１３ｄ，１３ｅを閉じた状態でコークス炉ガスを導入する前に、導入管９を例えば４００℃以上８００℃以下に予め加熱しておく。このようにすれば、各窯５のスライドダンパー１３ａ、１３ｂ、１３ｃ、１３ｄ，１３ｅをあけてコークス炉ガスを導入するときに、コークス炉ガスに含まれる重質炭化水素が４００℃未満の温度で液化凝集することによる流路閉塞が生じない。また、８００℃を超える温度でコークス炉ガスに含まれる炭化水素が高温熱分解することによりカーボンが析出して流路を閉塞することがなく、流路の途中で原料成分の損失が生じることがない。したがって、コークス炉ガスを安定して改質炉１に導入することができる。
【００６０】
また、導入管９の加熱手段としては、配管昇温用ヒータ５１，５３に代えて、或いは、これとともに、配管昇温用バーナ５７を改質炉１から最も遠い位置の導入管９の端部に取り付け、燃料ガスを導入管９内に通流させることにより、導入管９を内部から加熱するようにしてもよい。
【００６１】
ところで、コークス炉ガスを水蒸気改質する際に、改質炉１内の反応ガス中の水分が不足すると、生成された改質ガス中にカーボンが析出することが知られている。この水分不足の判定は、改質炉１内の反応ガス中の水分当量とカーボン当量との比率により判断することができる。例えばメタンの水蒸気改質反応において、その反応式はＣＨ４＋２Ｈ２Ｏ→３Ｈ２＋ＣＯ＋Ｈ２Ｏ→４Ｈ２＋ＣＯ２又はＣＨ４＋Ｈ２Ｏ→３Ｈ２＋ＣＯである。つまり、反応ガス中のカーボン当量に対する水分当量の比率は、前者の反応式では２.０であるため、比率が２.０以上となる量の水分又は水蒸気を改質炉１内に投入する必要がある。また、後者の反応式では改質するガス中のカーボン当量に対する水分当量の比率は１.０であり、同様に比率が１.０以上となる量の水分又は水蒸気を改質炉１内に投入する必要がある。つまり、これより低い比率で水分が不足する場合、例えば比率を０.５とした場合は、化学反応式を一例で示すと２ＣＨ４＋Ｈ２Ｏ→５Ｈ２＋ＣＯ＋Ｃとなり、カーボンが析出する反応となる。
【００６２】
本実施形態では、酸素を原料として改質炉１内に投入しているが、その酸素の投入により導入部４１で生じる部分酸化反応の反応式は、メタンの場合に例えばＣＨ４＋Ｏ２→ＣＯ＋Ｈ２Ｏ＋Ｈ２、水素の場合に例えば２Ｈ２＋Ｏ２→２Ｈ２Ｏとなる。つまり、酸素を原料として部分酸化反応が起こると反応ガス中には水蒸気が発生する。この水蒸気の発生量は炉内に投入される酸素量から算定することができる。このため、改質ガス中にカーボンが析出しない条件は、反応ガス中におけるカーボン当量に対する水分当量の比率が、例えば１.０未満のときであり、この水分当量には、部分酸化反応により生じた水分量が含まれる。
【００６３】
したがって、原料石炭中の含水率から算定されるコークス炉ガス中の水分量と酸素を原料として部分酸化反応により生じる水分量とから求めた水分当量の合計値と、コークス炉ガス中のカーボン当量との比率を算定し、コークス炉ガス中のカーボン当量に対する水分当量の合計値の比率がカーボン析出条件で決定される値未満の場合、不足する水分量を外部から補給すれば、改質ガス中のカーボンの析出を防ぐことができる。例えば、改質炉１内でのコークス炉ガス中のカーボン当量と投入する酸素当量の比率が１.０対０.２５の場合、２Ｈ２＋Ｏ２→２Ｈ２Ｏの反応が導入部４１で主として生じるので、部分酸化反応により生じる水分当量は０.２５×２＝０.５となる。
【００６４】
ところで、コークスの原料である石炭は、外部で保管中に大気中の水分を大量に吸収することや粉塵防止のために散水することから、年間を通じて石炭の重量比で７％から１０％程度の含水率を有することが知られている。最近のコークス製造設備においては、原料石炭の含水率を減少させてコークス製造に必要となる燃料使用量を削減するために原料石炭の水分調湿設備を設けていることが多く、一般的に含水量を石炭の重量比で５％程度に調節している。
【００６５】
この原料石炭中に含まれる水分はコークス製造中にコークス炉ガス中に放出されることから、コークス炉への装炭から押し出し（乾留終了）までに排出されるコークス炉ガス中の水分量の時間変化を調べた。図７は、原料石炭中の含水率が重量比で１０％の場合の１つの窯から発生するコークス炉ガス中の単位体積当たりの水分含有量の時間変化を調べた結果を示すものである。
【００６６】
本実施形態では、図１で示したように、コークス炉３の１番窯５ａ，２番窯５ｂ，３番窯５ｃ，４番窯５ｄ及びＮ番窯５ｅからそれぞれ発生するコークス炉ガスが混合された状態で改質炉１に導入されるため、混合したコークス炉ガスに含まれる水分含有量の変化は、図７の水分含有量の変化を、時間軸をずらして重ね合わせた変化となる。
【００６７】
図８は、原料石炭中の含水率が重量比で５％及び１０％の場合に、５つの窯５から排出されたコークス炉ガスを合流したコークス炉ガス中における、カーボン当量に対する水分当量の比率変化を計算した結果を示している。ここで、図８の上側の線ａは原料石炭の含水率が１０％の場合の比率変化を示し、下側の線ｂは含水率が５％の場合の比率変化を示している。図８からわかるように含水率が５％の原料石炭を用いた場合でも、コークス炉ガスのカーボン当量に対する水分当量の比率は、約０.３〜０.４の範囲で変動している。
【００６８】
ここで、上述した説明を踏まえたうえで、本実施形態の改質システムにおける改質炉１への水蒸気の供給方法について具体的に説明する。まず、改質炉１において、コークス炉３に装入する原料石炭中の含水率を測定し、その測定値からコークス炉ガス中の水分量（水蒸気量）を算定し、改質炉１に投入する酸素量から部分酸化反応で生じる水分量を算定する。そして、これらの水分量の合計の水分当量とコークス炉ガス中のカーボン当量とから、カーボン当量に対する水分当量の比率Ｘを求める。
【００６９】
次に、改質炉１内の想定される反応式から改質ガス中にカーボンが析出する比率Ｙを求める。ここで、Ｙ＜Ｘであればカーボンは析出しないことからＹ＝Ｘとなるときの原料石炭中の必要含水率を逆算してカーボンが析出しない含水率Ａ％の値を決定する。そして、相当する原料石炭中の含水率がＡ％以下のＢ％の場合は、装入する原料石炭重量の(Ａ−Ｂ)％に相当する合計重量の水蒸気を乾留時間で除した単位時間当たりの平均供給量を蒸気ノズル２１から改質炉１内に供給する。これにより、投入する原料石炭中に不足する水蒸気を補うことができるため、コークス炉ガス中の水分当量とカーボン当量の比率はすべての時間帯でＹ＜Ｘとなる。これにより、改質ガス中にカーボンが析出することがないため、改質炉１や配管系統の詰まりを防止することができ、改質ガスの品質の低下を防止することができる。また、原料石炭中の含水率がＡ％以上の場合は水蒸気を供給しないため、不必要な水蒸気の投入がなく、結果として、改質ガスの品質を向上させることができるとともに、水蒸気の供給流量を一定に保持して制御を簡単化することができる。
【００７０】
本実施形態の改質システムでは、このような水蒸気の供給方法を実現するため、原料石炭中の含水率に基づいて改質炉１に供給する水蒸気の供給量を制御する構成として、コークス炉３に投入する原料石炭中の含水率を計測する含水率計測手段と、水蒸気供給手段から供給される水蒸気の供給量を調整する流量調整弁と、この流量調整弁の弁開度を制御する制御手段を有している。
【００７１】
水蒸気供給手段としては、所定の水蒸気量を各々の酸素供給管１９の酸素含有ガスに混ぜて、酸素供給管１９から炉内に供給することが最も効果的であるが、これに限られず、例えば、改質炉１の入口部又は導入管１１等に水蒸気供給管を接続するようにしてもよい。ただし、水蒸気供給管を用いる場合は、低温の水蒸気の導入によりコークス炉ガスの温度が例えば４００℃以下まで下がると、コークス炉ガス中のタール分が凝集して流路を閉塞させるおそれがあるため、投入する水蒸気の温度を例えば４００℃以上とする必要がある。これに対し、水蒸気を酸素供給管１９から導入する場合は、水蒸気の凝縮を防ぐため、酸素供給管１９の温度を１００℃以上とすればよいため、設備が簡単になる。なお、水蒸気はコークス炉ガスが改質炉１に導入された後の早い段階で投入しなければ、分解反応によりタールが生じるおそれがあるため、蒸気ノズル２１を水蒸気供給手段として用いることは適切ではない。
【００７２】
制御手段は、含水率計測手段で計測された原料石炭中の含水率からコークス炉ガス中の水蒸気量を算出し、改質炉１内に供給する酸素量から部分酸化反応により生じる水分量を算出し、これらの合計による水分当量とコークス炉ガス中のカーボン当量とから、カーボン当量に対する水分当量の比率を算出する。そして、この比率が設定値未満の場合は、比率を設定値とするために必要な水分量を原料石炭の乾留時間で除した単位時間当たりの水分量を算出し、この算出された水分量が水蒸気供給手段から改質炉１内へ供給されるように、流量調整弁の弁開度を制御する。一方、前記比率が設定値以上の場合は、流量調整弁を閉じるように制御する。なお、設定値は、適宜に定めることができるが、通常は、想定される改質反応の化学式に基づく、カーボン当量に対する水蒸気当量の比率が適用される。
【００７３】
ところで、本実施形態の改質システムでは、改質炉１から抜き出された高温の改質ガスが吸引管１７を流れて改質炉１の後流側に設置された熱交換器２３を通過する際に、１００℃以下に冷却されて凝縮水が大量に発生する。しかし、この凝縮水は貯水容器２５に一時貯留された後、水封式自動排水装置２７により自動的に排水されるため、凝縮水による配管流路の閉塞を防ぐことができる。また、２層流化による流動抵抗増大による吸引送風機３９の動力増加を防ぐことができる。
【符号の説明】
【００７４】
１  改質炉
３  コークス炉
５ａ〜５ｅ  １番窯〜Ｎ番窯
９，１１  導入管
１３ａ〜１３ｅ  スライドダンパー
１５ａ，１５ｂ  起動用バーナ
１９  酸素供給管
２１  蒸気ノズル
２３  熱交換器
２７  自動排出装置
３９  吸引送風機
４１  導入部
４３  燃焼ガスの流れ
４７  高温改質ガス
４９  改質ガス
【図１】
0005400505.tif 000004
【図２】
0005400505.tif 000005
【図３】
0005400505.tif 000006
【図４】
0005400505.tif 000007
【図５】
0005400505.tif 000008
【図６】
0005400505.tif 000009
【図７】
0005400505.tif 000010
【図８】
0005400505.tif 000011